(57)【要約】【課題】本発明は、浴槽を部屋への搬入・搬出が、容易かつ確実に行え、また、浴槽を部屋へ据え付けたり、据え付け後は、作業者および介護者は入浴シートの昇降操作をはじめ、入浴作業が行動範囲を制約されず能率的に行え、浴槽の後片付けも容易かつ確実に行う。【解決手段】平面視略横長槽状の浴槽本体１と、該浴槽本体の槽１Ａ内乃至上方に、長手方向Ｉに配される入浴シート２と、該入浴シートの一側の二隅に接続された固定ベルト３,３と、他側の二隅に接続された捲取ベルト４,４と、固定ベルトを浴槽本体の一端１ａの隅周辺に固定する固定具５,５と、捲取ベルトが接続された捲取軸６と、捲取軸の一端６ａに配されて捲取ベルトを捲き取り可能な捲取機７と、捲取機側はこれに固定されるとともに、他端側は捲取軸を支持しつつ、一体に浴槽本体の他端周辺に固定する連結手段８と、からなり、固定具が、浴槽本体の長手方向Ｉの両端に着脱可能に構成され、連結手段が、捲取軸及び捲取機と一体となり、浴槽本体の長手方向Ｉの両端に着脱可能に構成される。【選択図】図１
2013132329.tif 000002
【特許請求の範囲】
【請求項１】
平面視略横長槽状をなす浴槽本体と、
該浴槽本体の槽内乃至その上方に、長手方向を前記浴槽本体の長手方向と一致させた状態で配される長方形状の入浴シートと、
該入浴シートにおける長手方向の一側の二隅に接続された２本の固定ベルトと、
前記入浴シートにおける長手方向の他側の二隅に接続された２本の捲取ベルトと、
前記２本の固定ベルトをそれぞれ、前記浴槽本体の長手方向の一端の２つの隅周辺に固定する固定具と、
前記入浴シートにおける長手方向の前記他端の一辺と間隔を有して平行に配されるとともに前記２本の捲取ベルトが接続された捲取軸と、
該捲取軸の一端に配されるとともに該捲取軸を回転させることで前記捲取ベルトを捲き取り可能に構成された捲取機と、
前記捲取軸の両端に位置し、前記捲取機側はこれに固定されるとともに、他端側は前記捲取軸を回転自在に軸受体により支持しつつ、これらを一体に前記浴槽本体の長手方向の他端周辺に固定する連結手段と、からなる介護入浴用浴槽であって、
前記固定具が、浴槽本体の長手方向の両端に着脱可能に構成され、
前記連結手段が、前記捲取軸及び前記捲取機と一体となって、前記浴槽本体の長手方向の両端に着脱可能に構成されていることを特徴とする介護入浴用浴槽。
【請求項２】
前記浴槽本体の長手方向の両端の何れかに前記捲取機及び前記捲取軸を一体として前記連結手段を介して取り付ける際に、前記捲取機および前記捲取軸の位置関係が反転しても着脱可能に前記連結手段が構成されていることを特徴とする請求項１に記載の介護入浴用浴槽。
【請求項３】
前記２本の固定ベルトが、それぞれ、吊環部および被連結ベルトを介して入浴シートに接続され、
前記２本の捲取ベルトが、それぞれ、係合金具および被連結ベルトを介して前記入浴シートに接続される
ことを特徴とする請求項１または２に記載の介護入浴用浴槽。
【請求項４】
前記連結手段が、
一側に第１ロッド部と、他側に第２ロッド部と、中間にはストッパ環部と、を配して設けられる雄状連結部材と、
前記第１ロッド部または前記第２ロッド部の何れか一方が抜差可能に前記浴槽本体の長手方向における一側および他側の軸端両側に設けられた浴槽側受筒部と、
前記捲取機および前記軸受体に抜差自在に設けられた捲取軸側受筒部と、で構成されている
ことを特徴とする請求項１−３の何れかに記載の介護入浴用浴槽。
【請求項５】
前記浴槽側受筒部が、前記浴槽本体の長手方向の一側に設けたものは他側に設けたものよりも高い高さに設置されていることを特徴とする請求項１−４の何れかに記載の介護入浴用浴槽。
【発明の詳細な説明】
【技術分野】
【０００１】
本発明は介護入浴用浴槽に関し、起居動作に他者の介護が必要な身体不自由者のような被入浴者を介護入浴させるものであり、被入浴者の身体を支持するのに、平面視略横長槽状をなす浴槽の液収容部内に備える入浴シートを昇降させるための捲取機の取付位置を被入浴者が在住する訪問先の部屋の間取りの広狭や出入口の配置等に合わせて最適な取付位置を選択し、浴槽の部屋への搬入・搬出や浴槽の据え付け、据え付け後の入浴シートの昇降操作をはじめ、入浴作業の効率化をはかり、後片付けを容易かつ確実にしようとするものである。
【背景技術】
【０００２】
従来、起居動作に他者の介護が必要な身体不自由者のような被入浴者を介護入浴させる介護入浴用浴槽には、湯水浸透性の柔軟材にて形成される入浴シートの被入浴者の足部該当側に対応して浴槽本体の長手方向の一側の浴槽本体の左側部または右側部に浴槽本体の液収容部内の温湯中に昇降操作機構部の捲取機を設けるものがあった。そして、被入浴者の足部該当側に対応する入浴シートの一側の左右を係着支持させる手段として、捲取機に連動して軸受材に回転可能に支承される回動操作軸の軸面上で、左右各基端部側を内側にとって可揺動的に各抑止レバーを枢支し、該各抑止レバーにより前記回動操作軸の軸面に入浴シートの各昇降ベルトを抑止支持する。また、入浴シートの前端部を枢支させるには、左右各基端部を内側にとって可動的に枢支されるハンギングレバーと、該各ハンギングレバーの先端部を突き当てて保持するストッパピンとの組合わせにより構成されている。こうして、捲取機のハンドルを回動操作することにより、入浴シートでの被入浴者の足部該当側から入浴シートを浴槽の液収容部内に撓ませて被入浴者の身体を温水に浸し、入浴するものがあった（特許文献１参照）。
【先行技術文献】
【特許文献】
【０００３】
【特許文献１】特開２００６―１８７５０５号公報
【発明の概要】
【発明が解決しようとする課題】
【０００４】
しかしながら、上記特許文献１に記載の従来の介護入浴用浴槽は、被入浴者の足部該当側に対応する平面視横長槽状をなした浴槽の長手方向の一側において、浴槽本体の液収容部内に溜められた温湯中に入浴シートを昇降させるための昇降操作機構部としての捲取機は、足部該当側の浴槽本体の左側部または右側部に固定的に設けられているので、被入浴者が在住する訪問先の部屋の間取りが狭かったり、部屋に通ずる玄関や出入口の配置、向きに影響され、浴槽を部屋へ搬入したり、搬出するのに、浴槽や捲取機が壁に衝突されて進路が阻まれ、搬入または搬出が容易には行えなかったり、また、浴槽を部屋へ据え付けたり、または浴槽を据え付け後には、作業者および介護者は入浴シートの昇降操作をはじめ、入浴作業がしずらく、しかも、行動範囲が制約されるなど、多くの時間と手間がかかり、非能率的であった。しかも、入浴が済んでから後の浴槽の後片付けも容易かつ確実には行えなかったという課題がある。
【０００５】
上記の課題を解決するために、本発明は、浴槽を部屋へ搬入したり、搬出するのが、容易かつ確実に行え、また、浴槽を部屋へ据え付けたり、または浴槽を据え付け後には、作業者および介護者は入浴シートの昇降操作をはじめ、入浴作業が行動範囲に制約されずに能率的に行え、また、入浴が済んでから後の浴槽の後片付けも容易かつ確実に行える介護入浴用浴槽を提供することを目的とする。
【課題を解決するための手段】
【０００６】
本発明の請求項１の発明は、平面視略横長槽状をなす浴槽本体と、
該浴槽本体の槽内乃至その上方に、長手方向を前記浴槽本体の長手方向と一致させた状態で配される長方形状の入浴シートと、
該入浴シートにおける長手方向の一側の二隅に接続された２本の固定ベルトと、
前記入浴シートにおける長手方向の他側の二隅に接続された２本の捲取ベルトと、
前記２本の固定ベルトをそれぞれ、前記浴槽本体の長手方向の一端の２つの隅周辺に固定する固定具と、
前記入浴シートにおける長手方向の前記他端の一辺と間隔を有して平行に配されるとともに前記２本の捲取ベルトが接続された捲取軸と、
該捲取軸の一端に配されるとともに該捲取軸を回転させることで前記捲取ベルトを捲き取り可能に構成された捲取機と、
前記捲取軸の両端に位置し、前記捲取機側はこれに固定されるとともに、他端側は前記捲取軸を回転自在に支持しつつ、これらを一体に前記浴槽本体の長手方向の他端周辺に固定する連結手段と、からなる介護入浴用浴槽であって、
前記固定具が、浴槽本体の長手方向の両端に着脱可能に構成され、
前記連結手段が、前記捲取軸及び前記捲取機と一体となって、前記浴槽本体の長手方向の両端に着脱可能に構成されていることを特徴とする。
【０００７】
また、本発明の請求項２に記載の発明は、請求項１において、前記浴槽本体の長手方向の両端の何れかに前記捲取機及び前記捲取軸を一体として前記連結手段を介して取り付ける際に、前記捲取機および前記捲取軸の位置関係が反転しても着脱可能に前記連結手段が構成されていることを特徴とする。
【０００８】
また、請求項３に記載の発明は、請求項１または２において、前記２本の固定ベルトが、それぞれ、吊環部および被連結ベルトを介して入浴シートに接続され、
前記２本の捲取ベルトが、それぞれ、係合金具および被連結ベルトを介して前記入浴シートに接続される
ことを特徴とする。
【０００９】
また、請求項４に記載の発明は、請求項１−３の何れかにおいて、前記連結手段が、
一側に第１ロッド部と、他側に第２ロッド部と、中間にはストッパ環部と、を配して設けられる雄状連結部材と、
前記第１ロッド部または前記第２ロッド部の何れか一方が抜差可能に前記浴槽本体の長手方向における一側および他側の軸端両側に設けられた浴槽側受筒部と、
前記捲取機および前記軸受体に抜差自在に設けられた捲取軸側受筒部と、で構成されている
ことを特徴とする。
【００１０】
また、請求項５に記載の発明は、請求項１−４の何れかにおいて、前記浴槽側受筒部が、前記浴槽本体の長手方向の一側に設けたものは他側に設けたものよりも高い高さに設置されていることを特徴とする。
【発明の効果】
【００１１】
本発明の請求項１の記載によれば、平面視略横長槽状をなす浴槽本体と、該浴槽本体の槽内乃至その上方に、長手方向を前記浴槽本体の長手方向と一致させた状態で配される長方形状の入浴シートと、該入浴シートにおける長手方向の一側の二隅に接続された２本の固定ベルトと、前記入浴シートにおける長手方向の他側の二隅に接続された２本の捲取ベルトと、前記２本の固定ベルトをそれぞれ、前記浴槽本体の長手方向の一端の２つの隅周辺に固定する固定具と、前記入浴シートにおける長手方向の前記他端の一辺と間隔を有して平行に配されるとともに前記２本の捲取ベルトが接続された捲取軸と、該捲取軸の一端に配されるとともに該捲取軸を回転させることで前記捲取ベルトを捲き取り可能に構成された捲取機と、前記捲取軸の両端に位置し、前記捲取機側はこれに固定されるとともに、他端側は前記捲取軸を回転自在に支持しつつ、これらを一体に前記浴槽本体の長手方向の他端周辺に固定する連結手段と、からなる介護入浴用浴槽であって、前記固定具が、浴槽本体の長手方向の両端に着脱可能に構成され、前記連結手段が、前記捲取軸及び前記捲取機と一体となって、前記浴槽本体の長手方向の両端に着脱可能に構成されているので、被入浴者が在住する訪問先の部屋の間取りが狭かったり、部屋に通ずる玄関や出入口の配置、向きが如何様なものであっても、被入浴者が在住する訪問先の部屋の間取り、部屋に通ずる玄関や出入口の配置、向き等に合わせて入浴シートにおける長手方向の一側の二隅に接続された２本の固定ベルトを、固定具により浴槽本体の長手方向の一端の２つの隅周辺に固定するとともに、前記入浴シートにおける長手方向の他側の二隅に接続された２本の捲取ベルトを、連結手段を介して該捲取ベルトが一端に固定された捲取軸の両端に位置し、一端側は回転自在に捲取軸を支持する捲取軸の支持個所及び前記捲取機を浴槽本体の長手方向の両端の何れかに着脱可能に固定することにより、訪問先の部屋の間取りに影響を受けずに、浴槽を部屋へ搬入したり、搬出するのが、容易かつ確実に行える。
【００１２】
また、部屋の間取りが狭かったり、温水器やボイラーからの温水や上水道からの上水、排水等を行うための配管の浴槽に対する関係に影響されずに、容易かつ確実に浴槽を部屋へ搬入して据え付けることができる。また、浴槽を据え付け後には、作業者および介護者は入浴シートの昇降操作をはじめ、入浴作業を容易に行えることができ、しかも、行動範囲が制約されずに作業を能率的に行うことができる。そして、入浴が済んでから後の浴槽の後片付けも容易かつ確実に行える。
【００１３】
また、本発明の請求項２に記載の発明によれば、請求項１において、前記浴槽本体の長手方向の両端の何れかに前記捲取機及び前記捲取軸を一体として前記連結手段を介して取り付ける際に、前記捲取機および前記捲取軸の位置関係が反転しても着脱可能に前記連結手段が構成されているので、被入浴者が在住する訪問先の部屋の間取りが狭かったり、部屋に通ずる玄関や出入口の配置、向きが如何様なものであっても、被入浴者が在住する訪問先の部屋の間取り、部屋に通ずる玄関や出入口の配置、向き等に合わせて連結手段を分離することにより、捲取機及び捲取軸の位置関係を反転してから、前記浴槽本体の長手方向における両端部の何れかに前記連結手段を介して捲取機を選択的に取付けることができる。そして、訪問先の部屋の間取りに影響を受けずに、浴槽を部屋へ搬入したり、搬出するのが、容易かつ確実に行える。
【００１４】
そして、被入浴者が在住する訪問先の部屋の間取り、部屋に通ずる玄関や出入口の配置、向き、温水器やボイラーからの温水や上水道からの上水、排水等を行うための配管の浴槽に対する関係に影響されずに、容易かつ確実に浴槽を部屋へ搬入して据え付けることができる。また、浴槽を据え付け後には、作業者および介護者は入浴シートの昇降操作をはじめ、入浴作業が容易に行え、しかも、行動範囲が制約されずに作業を能率的に行うことができる。そして、入浴が済んでから後の浴槽の後片付けも容易かつ確実に行える。
【００１５】
また、本発明の請求項３に記載の発明によれば、請求項１または２において、前記２本の固定ベルトが、それぞれ、吊環部および被連結ベルトを介して入浴シートに接続され、前記２本の捲取ベルトが、それぞれ、係合金具および被連結ベルトを介して前記入浴シートに接続されるので、例えば平面視略横長槽状をなす浴槽本体の長手方向の両端のうち、何れか一端延長線上が被入浴者の頭部該当側になるように設けられるとともに、浴槽本体の他端延長線上が被入浴者の足部該当側になるように、浴槽本体の液収容部内に入浴シートを収容するには、先ず、捲取機の捲取軸に一端が固定された２本の捲取ベルトを浴槽本体の軸長方向に沿う一側の２本の前記被連結ベルト、および係合金具を介して着脱自在に接続するとともに、固定ベルトを吊環部および被連結ベルトを介して着脱自在に浴槽本体に固定することにより、捲取機の取付位置に応じて浴槽本体内に入浴シートを簡単な取り扱いにて迅速かつ確実に略中央が凹状に撓ませられた状態に収容される。そして、捲取機が浴槽本体の長手方向における両端部の何れかに設けられる場合に、上記手順、操作により浴槽本体内に入浴シートが収容される。
【００１６】
また、反対に浴槽本体の軸長方向の他側が被入浴者の頭部該当側になるように捲取機が設けられるとともに、浴槽本体の軸長方向の一側が被入浴者の足部該当側になるように、浴槽本体内に入浴シートを収容するのには、先ず、捲取機の捲取軸に一端が固定された２本の捲取ベルトを他側の２本の前記被連結ベルト、および係合金具を介して着脱自在に接続するとともに、２本の固定ベルトを吊環部および一側の２本の被連結ベルトに連結することにより、捲取機の取付位置に応じて浴槽本体内に入浴シートを簡単な取り扱いにより迅速かつ確実に略中央が凹状に撓ませられた状態に収容することができる。
【００１７】
また、請求項４に記載の発明によれば、請求項１−３の何れかにおいて、前記連結手段が、一側に第１ロッド部と、他側に第２ロッド部と、中間にはストッパ環部と、を配して設けられる雄状連結部材と、前記第１ロッド部または前記第２ロッド部の何れか一方が抜差可能に前記浴槽本体の長手方向における一側および他側の軸端両側に設けられた浴槽側受筒部と、前記捲取機および前記軸受体に抜差自在に設けられた捲取軸側受筒部と、で構成されているので、被入浴者が在住する訪問先の部屋の間取りが狭かったり、部屋に通ずる玄関や出入口の配置、向きに影響を受けて出入りが困難になる場合に、前記浴槽本体の長手方向における一側または他側の両端部の何れかに設けられた浴槽側受筒部に対して雄状連結部の第１ロッド部または前記第２ロッド部の何れか一方を軸方向に抜差することにより捲取機を浴槽本体の長手方向における一側または他側の両端部の何れかに簡単な取扱いにより付け替えることができる。
【００１８】
このため、被入浴者が在住する訪問先の部屋の間取り、部屋に通ずる玄関や出入口の配置、向き、温水器やボイラーからの温水や上水道からの上水、排水等を行うための配管の浴槽に対する関係に影響されずに、容易かつ確実に浴槽を部屋へ搬入して据え付けることができ、また浴槽を据え付け後には、作業者および介護者は入浴シートの昇降操作をはじめ、入浴作業が容易に行うことができ、しかも、行動範囲が制約されずに作業を能率的に行うことができる。そして、入浴が済んでから後の浴槽の後片付けも容易かつ確実に行える。
【００１９】
また、請求項５に記載の発明は、請求項１−４の何れかにおいて、前記浴槽側受筒部が、前記浴槽本体の長手方向の一側に設けたものは他側に設けたものよりも高い高さに設置されているので、被入浴者の頭部該当側に対応して浴槽本体の長手方向の一側に設けた前記浴槽側受筒部に雄状連結部材を用いて捲取機を浴槽本体の一側または他側における両端部の何れかに取付けることができる。そして、捲取機のハンドルを回動操作することにより、被入浴者の身体は入浴シート本体を介して捲取機に近い頭部側が足部側よりも先に深く温水に浸漬され、入浴が行えるが、長年病床に伏して足腰に糜爛や辱層ができている者は足が温水に浸らず、違和感がなく、爽快に入浴することができる。
【００２０】
また、被入浴者の足部該当側に対応して浴槽本体の軸長方向の他側に設けた浴槽側受筒部に雄状連結部材を用いて捲取機を取付けた場合には、捲取機のハンドルを回動操作することにより、被入浴者の身体は入浴シート本体を介して捲取機に近い足部側が頭部側よりも先に深く温水に浸漬され、入浴が行える。このため、血圧が高い者や、身体に測定器具や計器を付けている者が入浴するのに適する。
【図面の簡単な説明】
【００２１】
【図１】図１は本発明の実施形態に係る介護入浴用浴槽を示す平面図である。
【図２】図２は同じく介護入浴用浴槽を示す正面図である。
【図３】図３は同じく介護入浴用浴槽の後方部側を示す分解斜視図である。
【図４】図４は同じく本実施形態で使用される入浴シートを示す斜視図である。
【発明を実施するための形態】
【００２２】
以下、本発明の実施の形態について、詳細に説明する。
【００２３】
本実施形態は、平面視略横長槽状をなす浴槽本体１と、該浴槽本体１の槽１Ａ内乃至その上方に、長手方向Ｉを前記浴槽本体１の長手方向Ｉと一致させた状態で配される長方形状の入浴シート２と、該入浴シート２における長手方向Ｉの一側の二隅に接続された２本の固定ベルト３,３と、前記入浴シート2における長手方向Ｉの他側の二隅に接続された２本の捲取ベルト４,４と、前記２本の固定ベルト３,３をそれぞれ、前記浴槽本体1の長手方向Ｉの一端１ａの２つの隅周辺に固定する固定具５,５と、前記入浴シート２における長手方向Ｉの他端２ａと間隔を有して平行に配されるとともに前記２本の捲取ベルト４,４が接続された捲取軸6と、該捲取軸6の一端６ａに配されるとともに該捲取軸６を回転させることで前記捲取ベルト４,４を捲き取り可能に構成された捲取機７と、前記捲取軸６の両端６ａ,６ｂに位置し、前記捲取機７側の一端６ａはこれに固定されるとともに、他端６ｂ側は前記捲取軸６を回転自在に支持しつつ、これらを一体に前記浴槽本体１の長手方向Ｉの他端１ｂ周辺に固定する連結手段８と、からなる介護入浴用浴槽であって、前記固定具５,５が、浴槽本体１の長手方向Ｉの両端１ａ,１ｂに着脱可能に構成され、前記連結手段８が、前記捲取軸６及び前記捲取機７と一体となって、前記浴槽本体１の長手方向Ｉの両端１ａ,１ｂに着脱可能に構成されていることを特徴とする。
【００２４】
前記浴槽本体１は、例えば繊維強化プラスチックにより形成されることにより、強度を発揮し、耐水性を有し、軽量にして可搬可能である。
【００２５】
前記捲取機７が、前記浴槽本体１の長手方向Ｉの両端部の何れかに前記捲取軸６を一体として前記連結手段８を介して取付ける際に、前記連結手段８を分離することにより、前記捲取機７及び前記捲取軸６の位置関係を反転させ、前記浴槽本体１の長手方向Ｉの一側Ｂまたは他側Ｆにおける両端部Ｌ,Ｒの何れかに前記連結手段８を介して選択的に取付けられる。
【００２６】
前記入浴シート２が、図４に示すように平面略矩形の入浴シート本体２Ａにより形成される。そして、前記入浴シート本体２Ａの四隅には、吊環部９ａを一端に有する被連結ベルト９,９；９,９が設けられている。
【００２７】
そして、２本の前記固定ベルト３,３が、それぞれ吊環部９ａ,９ａおよび被連結ベルト９,９を介して平面略矩形の入浴シート２に接続され、また、２本の前記捲取ベルト４,４が、それぞれ係合金具１０,１０および被連結ベルト９,９を介して前記入浴シート２に接続される。そして、浴槽本体１の長手方向Ｉの一側Ｆまたは他側Ｂに取付けられる捲取機７に応じて簡単な取り扱いにより入浴シート２を浴槽本体１に収容することができる。また、前記入浴シート本体２Ａは、例えば温水・冷水浸透性の柔軟性材料にて形成される。
【００２８】
そして、固定ベルト３,３が、浴槽本体1における長手方向Ｉの一側Ｆ（または他側Ｂ）の２本の被連結ベルト９,９に着脱可能に固定するための前記係合手段としては、図４に示すように、例えば雄雌のホックや雄雌の面ファスナーが使用される。
【００２９】
また、捲取ベルト４,４が、前記浴槽本体1における長手方向Ｉの他側Ｂ（または一側Ｆ）の２本の被連結ベルト９,９に着脱可能に固定するための前記係合金具１０としては、本実施形態では、図４に示すように、略平面Ｃ字状の本体部に対してばね附勢される錠杆部１０ａが開閉可能に設けられた構造であり、これらの係合金具は代表的例示であり、上記説明には限られない。
【００３０】
また、前記捲取機７が、前記浴槽本体１の長手方向Ｉの一側Ｆ（または他側Ｂ）または他側Ｂ（または一側Ｆ）における両端部Ｌ,Ｒの何れかに選択的に連結手段８を介して着脱可能に取付けられる。
【００３１】
また、前記捲取機７は、本実施形態では例えばハンドル７ａと、ハンドル７ａの回転軸７ｂに装設されたウォーム７ｃと、このウォーム７ｃに噛合され、捲取軸６の一端に装設されている歯車７ｄと、で構成されるものが使用されるが、図には示さないが、モータを駆動源としてスイッチ作動されるものであってもよい。
【００３２】
前記連結手段８が、一側に第１ロッド部１１ａと、他側に第２ロッド部１１ｂと、中間には大径のストッパ環部１１ｃと、を配して設けられる左右対称形状の雄状連結部材１１と、前記第１ロッド部１１ａまたは前記第２ロッド部１１ｂの何れか一方が抜差可能に前記浴槽本体１の長手方向Ｉにおける一側Ｆまたは他側Ｂの軸端両側に設けられた浴槽側受筒部１２Ａおよび浴槽側受筒部１２Ｃと、前記捲取機７および前記捲取軸６の他端６ｂを回転自在に支承する軸受体１３に抜差自在に設けられた捲取軸側受筒部１２Ｂ,１２Ｂと、で構成されている。
【００３３】
前記浴槽側受筒部１２Ａ,１２Ｃにつき、前記浴槽本体１の長手方向Ｉの一側Ｆに設けた浴槽側受筒部１２Ａは、他側Ｂに設けた浴槽側受筒部１２Ｃよりも高い高さｈに設けられている。
【００３４】
１４は浴槽本体１の他側Ｂに設けられたシャンプーボウル部であり、このシャンプーボウル部１４は洗髪を行うためのものである。
【００３５】
本発明の介護入浴用浴槽の実施形態は以上の構成からなり、被入浴者が在住する訪問先の部屋の間取りが狭かったり、部屋に通ずる玄関や出入口の配置、向きに影響を受けて浴槽本体１の搬入・搬出時の出入りが困難になる場合に、例えば捲取機７の取付位置を図１および図２の実線に示すように、被入浴者の頭部該当側に対応して浴槽本体１の一側Ｆの
長手方向Ｉの一端における図において一端部Ｌに取付けられている状態から、他端部Ｒに変更するには、浴槽本体１の一側Ｆの左右のフランジ部１ｃ,１ｃの上面に浴槽本体１の長手方向Ｉに設けられた浴槽側受筒部１２Ａ,１２Ａに一側の第１ロッド部１１ａ,１１ａが挿入されている雄状連結部１１,１１の他側の第２ロッド部１１ｂ,１１ｂを捲取機７と、捲取機７の捲取軸６の他端６ｂを回転自在に支承している軸受体１３とに設けられた捲取軸側受筒部１２Ｂ,１２Ｂから脱挿し、捲取機７と捲取軸６とを一体に取外し、それから、捲取機７および捲取軸６の位置関係を反転し、再び捲取機７と、軸受体１３との捲取軸側受筒部１２Ｂ,１２Ｂ内に雄状連結部１１,１１の第２ロッド部１１ｂ,１１ｂをストッパ環部１１ｃが衝突するまで挿入するという簡単な取扱操作により、捲取機７の取付位置を図１および図２の実線で示すように浴槽本体１の長手方向Ｉにおける一側Ｆの一端部Ｌから他端部Ｒへと変更して取付けることができる。
【００３６】
また、捲取機７の取付位置を例えば図１、および図２の実線に示すように、被入浴者の頭部該当側に対応して浴槽本体１の一側Ｆの一端部Ｌに取付けられている状態から、図に示すように被入浴者の足部該当側に対応して浴槽本体１の他側Ｂの図において想像線で示すように他端部Ｒに変更するには、浴槽本体１の他側Ｂの左右のフランジ部１ｃ,１ｃの上面に浴槽本体１の長手方向Ｉに設けられた浴槽側受筒部１２Ａ、１２Ａに第１ロッド部１１ａ,１１ａが挿入されている雄状連結部材１１,１１の第２ロッド部１１ｂ,１１ｂを捲取機７と、捲取機７の捲取軸６の他端６ｂを回転自在に支承している軸受体１３とに浴槽本体１の長手方向Ｉに設けられた捲取軸側受筒部１２Ｂ,１２Ｂから脱挿する。そして、捲取機７を捲取軸６と一体に取外し、捲取機７および捲取軸６の位置関係を反転し、再び浴槽本体１の長手方向Ｉの他側Ｂに設けられた浴槽側受筒部１２Ｃ,１２Ｃ内に雄状連結部材１１,１１の第２ロッド部１１ｂ,１１ｂを挿入するという簡単な取扱操作により、捲取機７の取付位置を浴槽本体１の軸長方向Ｉの一側Ｆの一端部Ｌから浴槽本体１の他側Ｂの想像線で示すような他端部Ｒへと変更して取付けることができる。
【００３７】
この際、雄状連結部材１１は、一側に第１ロッド部１１ａと、他側に第２ロッド部１１ｂと、中間にはストッパ環部１１ｃと、を配して設けられる左右対称形状に形成されているので、被入浴者の頭部該当側に対応して浴槽本体１の一側Ｆの一端部Ｌ、および他端部Ｒに設けられた浴槽側受筒部１２Ａ,１２Ａ、また、捲取機７と、捲取機７の捲取軸６の他端６ｂを回転自在に支承している軸受体１３に設けられた捲取軸側受筒部１２Ｂ,１２Ｂ、被入浴者の足部該当側に対応して浴槽本体１の他側Ｂの一端部Ｌ、および他端部Ｒに設けられた浴槽側受筒部１２Ｃ,１２Ｃに対して雄状連結部材１１の第１ロッド部１１ａまたは第２ロッド部１１ｂの何れかを長手方向Ｉに挿脱させるという簡単な取扱いにより、捲取機７を被入浴者の頭部該当側に対応して浴槽本体１の一側Ｆの一端部Ｌ、および他端部Ｒ、または被入浴者の足部該当側に対応して浴槽本体１の他側Ｂの一端部Ｌ、および他端部Ｒに選択的に着脱可能に迅速かつ確実に取付けることができる。
【００３８】
このように、捲取機７は浴槽本体１の他側Ｂの一端部Ｌまたは他端部Ｒの何れか、または浴槽本体１の一側Ｆの一端部Ｌまたは他端部Ｒの何れかに連結手段８を介して取付位置を着脱可能に変更できるので、被入浴者が在住する訪問先の部屋の間取りが狭かったり、部屋に通ずる玄関や出入口の配置、向きが如何様なものであっても、浴槽本体１が出入りに影響を受けずに、浴槽を部屋へ搬入したり、搬出するのを容易かつ確実に行うことができる。
【００３９】
しかも、部屋の間取りが狭かったり、または浴槽本体１に対して温水器やボイラーからの温水や上水道からの上水、排水等を行うための配管の配索に影響されずに、容易かつ確実に浴槽を部屋へ据え付けることができる。
【００４０】
そして、浴槽本体１を据え付け後には、浴槽本体１の一側Ｆまたは他側Ｂの一端部Ｌまたは他端部Ｒの何れかに取付けられる捲取機７の取付位置に応じて浴槽本体１内に入浴シート２を収容し、セットを行うが、例えば図１および図２の実線で示すように、浴槽本体１の一側Ｆが被入浴者の頭部該当側に捲取機７が浴槽本体１の一端部Ｌに設けられるとともに、浴槽本体１の他側Ｂが被入浴者の足部該当側になるように、浴槽本体１内に入浴シート２を収容するのには、それぞれ吊環部９ａ,９ａおよび２本の被連結ベルト９,９を介して平面略矩形の入浴シート２に接続されている２本の前記固定ベルト３,３（図４において左側）の一端に装着されている固定具５,５を前記浴槽本体１の浴槽側受筒部１２Ｃ,１２Ｃに係合するとともに、また、それぞれ係合金具１０,１０および２本の被連結ベルト９,９を介して前記入浴シート２に、一端が捲取軸６に固定された２本の前記捲取ベルト４,４（図４において右側）を着脱自在に固定する。そして、浴槽本体１の長手方向Ｉの一側Ｆまたは他側Ｂに取付けられる捲取機７に応じて簡単な取り扱いにより入浴シート２を浴槽本体１に収容し、セットを行う。また、捲取機７が浴槽本体１の他端部Ｒに設けられている場合にも、同様の手順、操作により浴槽本体１の槽１Ａ内に略中央が撓んだ状態に入浴シート２を収容する。
【００４１】
また、反対に浴槽本体１の他側Ｂが被入浴者の頭部該当側になるように捲取機７が浴槽本体１の一端部Ｌまたは他端部Ｒに設けられるとともに、浴槽本体１の一側Ｆ側が被入浴者の足部該当側になるように、浴槽本体１内に入浴シート２を収容するのには、それぞれ吊環部９ａ,９ａおよび２本の被連結ベルト９,９を介して平面略矩形の入浴シート２に接続されている２本の前記固定ベルト３,３（図４において左側）の一端に装着されている固定具５,５を前記浴槽本体１の浴槽側受筒部１２Ａ,１２Ａに係合し、また、それぞれ捲取軸６に一端が固定された捲取ベルト４,４（図４において右側）を係合金具１０,１０および２本の被連結ベルト９,９を介して着脱可能に前記入浴シート２に接続する。そして、浴槽本体１の長手方向Ｉの一側Ｆまたは他側Ｂに取付けられる捲取機７に応じて簡単な取り扱いにより入浴シート２を浴槽本体１の槽１Ａ内に略中央が撓んだ状態に収容し、セットを行う。また、捲取機７が浴槽本体１の他端部Ｒに設けられている場合にも、同様の手順、操作により浴槽本体１内に入浴シート２を収容する。
【００４２】
そして、起居動作に他者の介護が必要な身体不自由者のような被入浴者を入浴させるのには、浴槽本体１内に適温度の湯水を所望量溜めてから、介助者の手助けにより入浴シート２の上に仰臥させる。
【００４３】
それから、捲取機７のハンドル７ａを回動操作すると、ハンドル７ａの回転軸７ｂに装設されたウォーム７ｃが回動され、このウォーム７ｃに噛合されている歯車７ｄを介して捲取軸６を回転することにより、捲取ベルト４,４が捲取軸６から繰り出されるので、固定具５が浴槽に着脱可能に係止され他端が２本の前記被連結ベルト９,９に連結される固定ベルト３,３により一側が固定されている入浴シート２は、浴槽本体１内に略中央が凹状に撓んだ状態で降下し、被入浴者の身体は温水に浸る。
【００４４】
この際、図２に示すように浴槽本体１には、浴槽本体１の長手方向Ｉの一側に設けられた前記浴槽側第１受筒部１２Ａ,１２Ａが、浴槽本体１の長手方向Ｉの他側に設けられた浴槽側受筒部１２Ｃ,１２Ｃよりも高い高さｈに設けられているので、被入浴者の身体は入浴シート本体２Ａを介して捲取機７に近い頭部側が足部側よりも先に深く温水に浸漬され、入浴が行われるが、長年病床に伏すことによって足腰に糜爛や辱層ができている者は足が温水に浸らずに身体が入浴シート２により支持された状態で、違和感がなく、爽快に入浴することができる。
【００４５】
また、被入浴者の足部該当側に対応して浴槽本体１の他側Ｂに設けた前記第３受筒部１２Ｃ,１２Ｃに雄状連結部材１１を用いて捲取機７を一側Ｆの一端部Ｌまたは他端部Ｒに取付けた場合には、捲取機７のハンドル７ａを回動操作することにより、被入浴者の身体は入浴シート本体２Ａを介して捲取機７に近い足部側が頭部側並びに上半身よりも先に深く温水に浸漬され、入浴が行える。このため、血圧が高い者や、病院にて身体に測定器具や計器を付けている者が入浴するのに適する。
【００４６】
また浴槽を据え付け後には、作業者および介護者は前述の入浴シート２の昇降操作をはじめ、入浴作業が容易に行うことができ、しかも、行動範囲が制約されずに作業を能率的に行うことができる。
【００４７】
浴槽内の身体の洗浄が済んでから、捲取機７のハンドル７ａを逆に回動操作すると、回転軸７ｂ、ウォーム７ｃ、歯車７ｄが逆に回転して捲取軸６に一端が固定されている捲取ベルト４,４を捲揚げて入浴シート２を吊り上げることにより、入浴シート２に支持されている被入浴者の身体を容易に浴槽本体１から引き上げることができる。
【００４８】
そして、入浴が済んでから後の浴槽の後片付けは、使用済湯を浴槽本体１から排水後に、２本の捲取ベルト４,４の一端に装着された係合金具１０,１０と、入浴シート本体２Ａの一側隅部に設けられた２本の被連結ベルト９,９の吊環部９ａ,９ａとの係合を解くとともに、浴槽本体１に係止されている固定具５,５を一端に有する２本の固定ベルト３,３と入浴シート本体２Ａの他側隅部に設けられた２本の被連結ベルト９,９の吊環部９ａ,９ａとの係合を解くことにより、入浴シート２を浴槽本体１から取り外し、容易かつ確実に浴槽の後片付けが行える。その後、浴槽本体１の搬出を行うことができる。
【産業上の利用可能性】
【００４９】
本発明は、浴槽を部屋へ搬入したり、搬出するのが、容易かつ確実に行え、また、浴槽を部屋へ据え付けたり、また浴槽を据え付けた後には、作業者および介護者は入浴シートの昇降操作をはじめ、入浴作業が行動範囲を制約されずに能率的に行え、また、入浴が済んでから後の浴槽の後片付けも容易かつ確実に行える用途・機能に適する。
【符号の説明】
【００５０】
１      浴槽本体
２      入浴シート
３      固定ベルト
４      捲取ベルト
５      固定具
６      捲取軸
７      捲取機
９      被連結ベルト
１０    係合金具
１１    雄状連結部材
１１ａ  第１ロッド部
１１ｂ  第２ロッド部
１２Ａ  浴槽側受筒部
１２Ｂ  捲取軸側受筒部
１２Ｃ  浴槽側受筒部
１３    軸受体
Ａ      介護入浴用浴槽
Ｉ      長手方向
Ｌ      一端部
Ｒ      他端部
Ｆ      一側
Ｂ      他側
【図１】
2013132329.tif 000003
【図２】
2013132329.tif 000004
【図３】
2013132329.tif 000005
【図４】
2013132329.tif 000006